(57)【要約】【課題】  両電源装置内で生じるデータに外部端末からネットワークを介して直接アクセスすることを可能にする。【解決手段】  電力線３８からの信号のうち、通信にかかわる通信帯域と、電力供給にかかわる電力帯域とを分割する電力線カプラ１２と、電力線カプラ１２とのデータの送受信を行う電力線通信用トランシーバ２０と、バッテリ付メモリカードからデータを読み出すメモリカードバッテリＩ／Ｆ２６と、メモリカードバッテリＩ/Ｆ２６により読み出されたデータを電力線通信用トランシーバ２０に送るよう制御するＣＰＵ３４と、電力線カプラ１２から取り出された電力帯域の信号をメモリカードバッテリＩ/Ｆ２６を通じてメモリカードのバッテリに供給する電源信号に変換する変圧器２２と、変圧器２２により変換された電源信号をメモリカードのバッテリに供給する電源部２４と、を含む。【選択図】  図１
2006048445.tif 000002
【特許請求の範囲】
【請求項１】
着脱可能な状態で装着される記録媒体が備える充電可能なバッテリに電源を供給するための電源供給装置において、
電力線からの信号のうち、通信にかかわる通信帯域と、電力供給にかかわる電力帯域とを分割する電力線カプラと、
前記電力線カプラとのデータの送受信を行う送受信部と、
前記装着された記録媒体からデータを読み出すメモリ読出部と、
前記メモリ読出部により読み出されたデータを前記送受信部に送るよう制御する制御部と、
前記電力線カプラから取り出された電力帯域の信号を前記メモリ読出部に装着された記録媒体のバッテリに供給する電源信号に変換する変圧器と、
前記変圧器により変換された電源信号を前記メモリ読出部に装着された記録媒体のバッテリに供給する電源部と、を含む電源供給装置。
【請求項２】
請求項１に記載の電源供給装置において、
前記電力線カプラから取り出された通信帯域の信号からノイズ成分を取り除くノイズカットフィルタを設けた電源供給装置。
【請求項３】
請求項１または２に記載の電源供給装置において、
前記記録媒体のバッテリへの電源供給の状態を監視する状態監視部を設けて、
前記制御部は、前記状態監視部で得られる電源供給の状態に関するデータを、前記送受信部に送ることを特徴とする電源供給装置。
【請求項４】
請求項１〜３のいずれかに記載の電源供給装置において、
外部端末からのデータ要求を受け付ける要求受付部を設けて、
前記制御部は、前記要求受付部にて外部端末よりデータ要求を受け付けたときに、要求されたデータを送受信部に送ることを特徴とする電源供給装置。
【請求項５】
請求項１〜４のいずれかに記載の電源供給装置において、
前記メモリ読出部にて読み出されたデータを格納する格納部を設けたことを特徴とする電源供給装置。
【発明の詳細な説明】
【技術分野】
【０００１】
本発明は、着脱可能な状態で装着される記録媒体が備える充電可能なバッテリに電源を供給するための電源供給装置に関する。
【背景技術】
【０００２】
特許文献１には、電子機器、例えばデジタルカメラに電源を供給する電源装置にＤＲＡＭやフラッシュメモリを設けた技術が記載されており、さらに、これにより電子機器とメモリとの間でデータの記録または読み出しを迅速に行うことができ、かつ、データ保存のための電源を必要としない記録装置が提供される旨記載されている。
【０００３】
また、特許文献２には、電子機器、例えばデジタルカメラに装着するメモリカードに電源の構成を含めた技術が記載されており、さらに、これによりカメラ本体を小型軽量にするとともに、予備電池を確保するなどの煩わしさを解消することができる旨記載されている。
【特許文献１】特開平６−２５９９５４号公報
【特許文献２】特開平１１−１２７３７２号公報
【発明の開示】
【発明が解決しようとする課題】
【０００４】
ところで、特許文献１，２に記載の技術では、電源装置と一体化したメモリの内容は、電子機器をこの電源装置に接続しなければ取り出すことができない。一方で、近年、電力線を利用したネットワーク技術への期待が高まってきており、電源装置に接続する電力線を介して電源装置と一体化したメモリの内容など、電源装置内で生じるデータを外部端末から把握することができるようにすることが望まれるようになった。
【０００５】
そこで、本発明は、上述した実情に鑑みてなされたものであり、電源装置内で生じるデータに外部端末からネットワークを介して直接アクセスすることが可能な電源供給装置を提供することを目的としている。
【課題を解決するための手段】
【０００６】
本発明に係る電源供給装置は、着脱可能な状態で装着される記録媒体が備える充電可能なバッテリに電源を供給するための電源供給装置において、電力線からの信号のうち、通信にかかわる通信帯域と、電力供給にかかわる電力帯域とを分割する電力線カプラと、電力線カプラとのデータの送受信を行う送受信部と、装着された記録媒体からデータを読み出すメモリ読出部と、メモリ読出部により読み出されたデータを送受信部に送るよう制御する制御部と、電力線カプラから取り出された電力帯域の信号をメモリ読出部に装着された記録媒体のバッテリに供給する電源信号に変換する変圧器と、変圧器により変換された電源信号をメモリ読出部に装着された記録媒体のバッテリに供給する電源部と、を含む。
【０００７】
このような構成により、電力線カプラにて電力線からの信号を、通信帯域および電力帯域に分割し、メモリ読出部に着脱可能な状態で装着された記録媒体からのデータ送受信にかかわる処理を通信帯域で行い、この記録媒体に含まれる充電可能なバッテリへの電力供給にかかわる処理を電力帯域で行うようにすることができ、このように記録媒体のバッテリに電力供給しながら、電力線を介して記録媒体をネットワークと接続することができるため、外部端末を電力線を介して接続することにより、電源供給装置内で生じるデータに外部端末からネットワークを介して直接アクセスすることが可能になる。これにより、例えば電源供給装置と、外部端末とが離れたところにある場合に、この外部端末から電源供給装置内の記録媒体のデータ内容を把握することできるようになり、場合によっては取得することもできるようになる。
【０００８】
この電源供給装置において、電力線カプラから取り出された通信帯域の信号からノイズ成分を取り除くノイズカットフィルタを設けてもよい。
【０００９】
このように、電力線カプラから取り出された通信帯域の信号からノイズをカットするようにすることにより、電力線を利用したネットワークで特に信号出力を上げたときに無視のできない問題となっていた、様々な電子機器からの負荷ノイズ、空中を伝播する飛来ノイズなどが電力線に重畳され、通信帯域の信号に混入することを解消し、特に通信帯域の出力を上げた広帯域での処理にも適したメモリ端末として電源供給装置を機能させることができるようになる。
【００１０】
これらの電源供給装置において、記録媒体のバッテリへの電源供給の状態を監視する状態監視部を設けて、制御部は、状態監視部で得られる電源供給の状態に関するデータを、送受信部に送るようにしてもよい。
【００１１】
このように、記録媒体のバッテリへの電源供給の状態を監視して、この監視結果をデータにして送受信部から、電力線を通じてネットワークを介して外部端末に送ることができるようにすることにより、外部端末からも記録媒体のバッテリへの電源供給状態を把握することが可能になり、必要に応じて、外部端末から記録媒体のバッテリへの電源供給を制御することができるようになる。
【００１２】
これらのいずれかの電源供給装置において、外部端末からのデータ要求を受け付ける要求受付部を設けて、制御部は、要求受付部にて外部端末よりデータ要求を受け付けたときに、要求されたデータを送受信部に送るようにしてもよい。
【００１３】
このように、外部端末から電源供給装置に対して積極的にデータ要求を行うことにより、電源供給装置内でデータが発生していないときであっても、データ自体が生じていないことを把握することができるようになる。
【００１４】
また、これらのいずれかの電源供給装置において、メモリ読出部にて読み出されたデータを格納する格納部を設けてもよい。
【００１５】
このように、記録媒体の内容を格納する格納部を設けておくことで、装着されている記録媒体から全データを外部端末に移さなくても格納部に取り込んでおくことができ、当該記録媒体のフォーマットを行うことが可能になり、次の用途に記録媒体を使用することができるようになる。また、一旦取り込んだデータの処理を行いながら、別の記録媒体を装着して、記録媒体のバッテリの充電を行うこともできるようになる。
【発明の効果】
【００１６】
本発明によれば、電源装置内で生じるデータに外部端末からネットワークを介して直接アクセスすることが可能になる。
【発明を実施するための最良の形態】
【００１７】
以下、本発明に係る電源供給装置の実施形態について、図面を参照しながら詳細に説明する。
図１は、本発明に係る電源供給装置の実施形態の概略を示すブロック図である。
【００１８】
本実施形態に係る電源供給装置は、着脱可能な状態で装着される記録媒体が備える充電可能なバッテリに電源を供給するための電源供給装置であり、電力線３８からの信号のうち、通信にかかわる通信帯域と、電力供給にかかわる電力帯域とを分割する電力線カプラ１２と、電力線カプラ１２とのデータの送受信を行う送受信部である電力線通信用トランシーバ２０と、装着された記録媒体であるメモリカードからデータを読み出すメモリ読出部としてのメモリカードバッテリインタフェース（Ｉ／Ｆ）２６と、メモリカードバッテリＩ/Ｆ２６により読み出されたデータを電力線通信用トランシーバ２０に送るよう制御する制御部としてのＣＰＵ３４と、電力線カプラ１２から取り出された電力帯域の信号をメモリカードバッテリＩ/Ｆ２６を通じて前記メモリカードのバッテリに供給する電源信号に変換する変圧器２２と、変圧器２２により変換された電源信号を前記メモリカードのバッテリに供給する電源部２４と、を含む。
【００１９】
また、電力線通信用トランシーバ２０、ＣＰＵ３４、および状態監視部３０、ＲＡＭ３２、メモリカードバッテリＩ／Ｆ２６は、互いにバス３６を通じて接続されている。
【００２０】
電力線カプラ１２では、電力線３８から送られる信号を受信するときは、この信号をデータ通信にかかわる通信帯域と電源供給にかかわる電力帯域とに分割して、通信帯域の信号をフィルタ１４に送り、電力帯域の信号を変圧器２２に送る。また、電力線３８へ信号を送信するときは、フィルタ１４から送られる通信帯域の信号が、電力線３８に送られる。
【００２１】
フィルタ１４では、電力線カプラ１２から送られる通信帯域の信号から、様々な電子機器からの負荷ノイズ、空中を伝播する飛来ノイズなどのノイズ成分をカットする。このように、電力線を利用したネットワークで特に信号出力を上げたときに無視できない問題となっていた、これらのノイズが電力線に重畳されて、通信帯域の信号に混入されることを解消するようになっている。したがって、特に通信帯域の出力を上げた広帯域、いわゆるブロードバンドでの処理にも適したメモリ端末として電源供給装置１０を機能させることができるようになる。
【００２２】
ＡＦＥ（アナログフロントエンド）１６は、フィルタ１４から送られる通信帯域の信号を調整する増幅器、および伝送線を駆動するためのラインドライバ／レシーバを備える。
【００２３】
また、電力線コンバータ１８は、ＡＦＥ１６より送られるアナログ信号からデジタル信号へと変換するアナログ／デジタル変換器（ＡＤＣ）、および電力線通信用トランシーバ２０より送られるデジタル信号をアナログ信号に変換するデジタル／アナログ変換器（ＤＡＣ）を備える。
【００２４】
電力線通信用トランシーバ２０は、電力線コンバータ１８からのデータを受信し、受信したデータを後述するＣＰＵ３４からの制御動作にしたがって後述するＲＡＭ３２、メモリカードバッテリＩ／Ｆ２６を通じてメモリカードに送る。また、このメモリカードからメモリカードバッテリＩ／Ｆ２６を通じて送られるデータまたはＲＡＭ３２からのデータを電力線コンバータ１８に送信する。
【００２５】
一方、変圧器２２は、電力線カプラ１２で得られた電力帯域の信号を電子機器や電源供給装置１０にて使用可能な電圧信号に電圧調整して変圧する。
【００２６】
電源部２４は、変圧器２２より送られる電圧信号を整流してメモリカードバッテリＩ／Ｆ２６に送るとともに、電源供給装置１０の中の各ユニットまたは各モジュールにも電圧信号を送るようになっている。
【００２７】
メモリカードバッテリＩ／Ｆ２６は、所定のメモリカードが着脱可能な状態で装着され、ＣＰＵ３４からの制御動作にしたがって、このメモリカードからデータを読み出してＲＡＭ３２および電力線通信用トランシーバ２０に送り、またＲＡＭ３２および電力線通信用トランシーバ２０より送られるデータを装着されたメモリカードに書き込むようになっている。また、メモリカードバッテリＩ／Ｆ２６は、電源部２４より送られる電源を装着されたメモリカードのバッテリに送る。
【００２８】
ここで、メモリカードバッテリＩ／Ｆ２６に装着されるメモリカードとしては、所定のデータ、例えばデジタルカメラで撮像された画像データを蓄積するとともに、前述のようにバッテリが内蔵されたバッテリ付メモリカードなどが好適に用いられる。
【００２９】
ＲＡＭ３２は、転送速度が異なる端末間でデータ転送を行う場合にデータをバッファリングするためのものであり、ＣＰＵ３４の作業エリアを提供するものである。また、ＲＡＭ３２は、メモリ読出書込部としてのメモリカードバッテリＩ／Ｆ２６にてメモリカードから読み出されたデータを格納するとともに、電力線通信用トランシーバ２０からのデータも格納する。このように、メモリカードから読み出されたデータを格納することで、メモリカードバッテリＩ／Ｆ２６に装着されるメモリカードのバックアップとしても機能する。このように、記録媒体としてのメモリカードの内容を格納する格納部としてＲＡＭ３２を設けておくことで、当該メモリカードのフォーマットを行うことが可能になり、次の用途にメモリカードを使用することができるようになる。また、一旦取り込んだデータの処理を行いながら、別のメモリカードを装着して、記録媒体のバッテリの充電を行うこともできるようになる。
【００３０】
状態監視部３０は、前記メモリカードのバッテリへの電源供給の状態、例えば充電状態などを監視し、この状態を示すデータをＣＰＵ３４に送る。
【００３１】
ＣＰＵ３４は、メモリカードバッテリＩ／Ｆ２６でメモリカードより読み出したデータをＲＡＭ３２に送るようメモリカードバッテリＩ／Ｆ２６に指示したり、メモリカードバッテリＩ／Ｆ２６で読み出したデータを直接送信するときには、この読み出したデータに送信情報を付与して電力線通信用トランシーバ２０に送る。また、ＲＡＭ３２に格納されたデータを送信するときも同様のこのデータに送信情報を付与して電力線通信用トランシーバ２０に送る。
【００３２】
また、ＣＰＵ３４は、状態監視部３０で得られたデータに基づいて、メモリカードのバッテリへの電源供給にかかる動作を制御、例えば充電が完了したときに充電動作を終了させるよう制御することができる。
【００３３】
また、ＣＰＵ３４は、電力線通信用トランシーバ２０で受信したデータを、ＲＡＭ３２に送ったり、メモリカードバッテリＩ／Ｆ２６に送り、そこに装着されたメモリカードに蓄積させるよう各構成を制御することもできる。
【００３４】
また、外部端末（不図示）を専用モデムを介して電力線３８に接続することで、メモリカードバッテリＩ／Ｆ２６に装着されたメモリカード、またはＲＡＭ３２に蓄積されたデータに、この外部端末から電力線３８を通じてアクセスすることが可能になる。
【００３５】
この場合、ＣＰＵ３４は、電力線３８に接続された図示されない外部端末を通じてデータ要求を受け付ける要求受付部としても作用し、このデータ要求を受け付けたときに、要求されたデータ、例えばメモリカードバッテリＩ／Ｆ２６でメモリカードより読み出されたデータ、ＲＡＭ３２に格納されたデータなどに送信情報を付与して電力線通信用トランシーバ２０に送る。また、必要に応じて、外部端末からの要求に応じて、メモリ読出書込部２８に装着されたメモリカードに蓄積されたデータの一覧、ＲＡＭ３２に格納されたデータの一覧を取得して、当該外部端末に送るよう、一覧に関するデータに送信情報を付与して電力線通信用トランシーバ２０に送るようにしてもよい。なお、ここで、付与される送信情報には、送信先の外部端末のアドレス、データの種類を特定するデータ、例えばメモリカードバッテリＩ／Ｆ２６からのデータ、ＲＡＭ３２からのデータの種類を特定するデータなどが含まれ、これらのデータを例えばヘッダ部分に含めることができる。また、送信されるデータには、必要に応じて暗号化処理を施してもよい。
【００３６】
このように、外部端末から電源供給装置１０に対して積極的にデータ要求を行うことにより、電源供給装置１０内でデータが発生していないときであっても、データ自体が生じていないことを把握することができるようになる。
【００３７】
また、外部端末からのデータ要求にしたがってまたは予め設定されたタイミングで、状態監視部３０で得られたメモリカードのバッテリへの電源供給の状態に関するデータに送信情報を付与して電力線通信用トランシーバ２０に送るようにすることもできる。
【００３８】
このように、状態監視部３０での監視結果をデータにしてＣＰＵ３４の制御動作にしたがって電力線通信用トランシーバ２０から、電力線３８を通じてネットワークを介して外部端末に送ることができるようにすることにより、外部端末からも電子機器への電源供給状態を把握することが可能になり、必要に応じて、外部端末から電子機器への電源供給を制御することができるようになる。
【００３９】
以上のように、本実施形態に係る電源供給装置によれば、電力線カプラ１２にて電力線３８からの信号を、通信帯域および電力帯域とに分割し、記録媒体としてのメモリカードからのデータ送受信にかかわる処理を通信帯域で行い、電力供給にかかわる処理を電力帯域で行うようにすることができ、電力線３８を介してメモリカードをネットワークと接続することができるため、外部端末を電力線３８を介して接続することにより、電源供給装置１０内で生じるデータに外部端末からネットワークを介して直接アクセスすることが可能になる。これにより、電源供給装置１０と、外部端末とが離れたところにある場合に、この外部端末から電源供給装置１０内のメモリカードのデータ内容を把握することできるようになり、場合によっては取得することもできるようになる。また、メモリカードのバッテリの充電と、メモリカードに蓄積されたデータまたは予めＲＡＭ３２に取り込んでおいたデータの転送とを同時に行うこともできるようになる。
【図面の簡単な説明】
【００４０】
【図１】本発明に係る電源供給装置の実施形態の概略を示すブロック図である。
【符号の説明】
【００４１】
１０  電源供給装置
１２  電力線カプラ
１４  フィルタ
２０  電力線通信用トランシーバ
２２  変圧器
２４  電源部
２６  メモリカードバッテリインタフェース（Ｉ／Ｆ）
３０  状態監視部
３２  ＲＡＭ
３４  ＣＰＵ
３８  電力線
【図１】
2006048445.tif 000003